(57)【要約】【課題】印刷物に掲載された商品やサービスのネットワークを介しての注文、並びに印刷物に掲載された情報のネットワークを介しての取得の手間を軽減する。【解決手段】ネットワーク６０を介して指定されたサービスを提供するサービス提供システムにおいて、サービスを特定するための特定コードが掲載された印刷物１０と、ネットワーク６０に接続可能に構成され、特定コードを指定するための端末２０と、特定コードと該特定コードにより特定されるサービスの内容とを対応づけて管理しておき、端末２０にて特定コードが指定された場合に、該特定コードによって特定されるサービスを認識し、該サービスの提供元となる企業サーバ４０−１〜４０−ｎにて当該サービスの提供を行わせるサービス提供サーバ３０とを設ける。【選択図】  図１
2004199432.tif 000002
【特許請求の範囲】
【請求項１】
ネットワークを介して指定されたサービスを提供するサービス提供システムであって、
前記サービスを特定するための特定コードが掲載された印刷物と、
前記ネットワークに接続可能に構成され、前記特定コードを指定するための端末と、
前記ネットワークに接続可能に構成され、前記特定コードと該特定コードにより特定されるサービスの内容とを対応づけて管理しておき、前記端末にて前記特定コードが指定された場合に、該特定コードによって特定されるサービスを認識し、該サービスの提供を行うサービス提供手段とを有することを特徴とするサービス提供システム。
【請求項２】
請求項１に記載のサービス提供システムにおいて、
前記サービス提供手段は、前記端末にて前記特定コードが指定された場合に、該特定コードによって特定されるサービスを認識し、該サービスの提供元にて当該サービスの提供を行わせることを特徴とするサービス提供システム。
【請求項３】
請求項１または請求項２に記載のサービス提供システムにおいて、
前記特定コードは、前記サービスに付与された情報と、該サービスの提供元を識別可能な情報とから構成されていることを特徴とするサービス提供システム。
【請求項４】
請求項３に記載のサービス提供システムにおいて、
前記サービスの提供元を識別可能な情報は、該サービスの提供元のドメイン名であることを特徴とするサービス提供システム。
【請求項５】
請求項１乃至４のいずれか１項に記載のサービス提供システムにおいて、
前記サービス提供手段は、前記サービスの提供を行うための処理手順を前記特定コードと対応付けて管理しておき、前記端末にて前記特定コードが指定された場合に、該特定コードと対応づけられた処理手順に従って、該特定コードによって特定されるサービスの提供を行うことを特徴とするサービス提供システム。
【請求項６】
請求項１乃至５のいずれか１項に記載のサービス提供システムにおいて、
前記サービス提供手段は、前記サービスの提供先に関する情報を該情報を識別可能な識別情報と対応づけて管理しておき、前記端末にて前記識別情報が指定された場合に該識別情報によって識別される提供先に対して、前記サービスの提供を行うことを特徴とするサービス提供システム。
【請求項７】
印刷物に掲載された特定コードによって指定されたサービスの提供を管理するサービス提供サーバであって、
前記特定コードと該特定コードにより特定されるサービスの内容とを対応づけて管理しておき、前記特定コードが指定された場合に、該特定コードによって特定されるサービスを認識し、該サービスの提供を行うことを特徴とするサービス提供サーバ。
【請求項８】
請求項７に記載のサービス提供サーバにおいて、
前記端末にて前記特定コードが指定された場合に、該特定コードによって特定されるサービスを認識し、該サービスの提供元にて当該サービスの提供を行わせることを特徴とするサービス提供サーバ。
【請求項９】
請求項７または請求項８に記載のサービス提供サーバにおいて、
前記サービスの提供を行うための処理手順を前記特定コードと対応付けて管理しておき、前記特定コードが指定された場合に、該特定コードと対応づけられた処理手順に従って、該特定コードによって特定されるサービスの提供を行うことを特徴とするサービス提供サーバ。
【請求項１０】
請求項７乃至９のいずれか１項に記載のサービス提供サーバにおいて、
前記サービスの提供先に関する情報を該情報を識別可能な識別情報と対応づけて管理しておき、前記識別情報が指定された場合に該識別情報によって識別される提供先に対して、前記サービスの提供を行うことを特徴とするサービス提供サーバ。
【発明の詳細な説明】
【０００１】
【発明の属する技術分野】
本発明は、ネットワークを介して指定された情報提供や商品販売等のサービスを提供するサービス提供システム及びサービス提供サーバに関する。
【０００２】
【従来の技術】
従来より、カタログを用いて商品等を購入する、いわゆるカタログショッピングにおいては、消費者が商品やサービス等を店舗等に出向くことなく家庭等にて容易に購入することができるため、利用者の数は少なくない。
【０００３】
また、近年、インターネットやパソコンが急速に普及し、個人が時間や場所を問わずにインターネットに接続することが容易に行われるようになってきている。また、それに伴い、インターネット上にホームページを開設し、このホームページを用いて情報を提供したり、商品等を販売したりする企業団体等が急速に増加している。
【０００４】
そこで、近年、カタログショッピングを取り扱う企業団体においては、カタログショッピングにおける商品等の注文及びその代金の決済を、インターネットを介して行うシステムが構築されており、利用者にとってもその利便性は高まっている。
【０００５】
インターネットを用いた一般的なカタログショッピングにおいては、消費者が、所望の商品が掲載されたカタログにて指定されるサイトにパソコン等の端末を用いてアクセスすると、カタログに掲載された商品を注文するための画面が消費者の端末に表示される。
【０００６】
消費者は、端末に表示された画面に、カタログに掲載された商品のうち所望の商品を指定するための商品コード等を入力し、また、消費者の氏名等の属性情報を入力するとともに、代金の支払方法を指定する。
【０００７】
これにより、カタログに掲載された商品の注文が行われ、また、指定された支払方法によって商品の代金が支払われることになる。
【０００８】
また、近年においては、カタログに掲載された商品を注文する際の消費者の手間を軽減するために、カタログに掲載された商品毎にバーコード情報を付与してカタログに掲載しておき、このバーコード情報を消費者の端末にて読み取ることにより商品の注文を行う仕組みが考えられている（例えば、特許文献１参照。）。
【０００９】
【特許文献１】
特開２００２−４９７９５号公報
【００１０】
【発明が解決しようとする課題】
しかしながら、上述したようなインターネットを用いたカタログショッピングにおいては、購入する商品毎に、その商品を取り扱う企業や店舗が運営するサイトにアクセスする必要があるため、その数が多い場合、全てのアクセス情報を把握しておくことができなくなる虞れがある。
【００１１】
また、複数の商品を購入する場合であって、それらの商品を取り扱う企業や店舗が互いに異なる場合、それぞれの企業や店舗が運営するサイトに順次アクセスし、商品を注文しなければならず、手間がかかってしまうという問題点がある。
【００１２】
また、サイト毎に、属性情報を入力したり決済方法を指定したりする必要が生じ、そのための手間がかかってしまうという問題点がある。
【００１３】
本発明は、上述したような従来の技術が有する問題点に鑑みてなされたものであって、カタログ等の印刷物に掲載された商品やサービスのネットワークを介しての注文、並びに印刷物に掲載された情報のネットワークを介しての取得の手間を軽減することができるサービス提供システム及びサービス提供サーバを提供することを目的とする。
【００１４】
【課題を解決するための手段】
上記目的を達成するために本発明は、
ネットワークを介して指定されたサービスを提供するサービス提供システムであって、
前記サービスを特定するための特定コードが掲載された印刷物と、
前記ネットワークに接続可能に構成され、前記特定コードを指定するための端末と、
前記ネットワークに接続可能に構成され、前記特定コードと該特定コードにより特定されるサービスの内容とを対応づけて管理しておき、前記端末にて前記特定コードが指定された場合に、該特定コードによって特定されるサービスを認識し、該サービスの提供を行うサービス提供手段とを有することを特徴とする。
【００１５】
また、前記サービス提供手段は、前記端末にて前記特定コードが指定された場合に、該特定コードによって特定されるサービスを認識し、該サービスの提供元にて当該サービスの提供を行わせることを特徴とする。
【００１６】
また、前記特定コードは、前記サービスに付与された情報と、該サービスの提供元を識別可能な情報とから構成されていることを特徴とする。
【００１７】
また、前記サービスの提供元を識別可能な情報は、該サービスの提供元のドメイン名であることを特徴とする。
【００１８】
また、前記サービス提供手段は、前記サービスの提供を行うための処理手順を前記特定コードと対応付けて管理しておき、前記端末にて前記特定コードが指定された場合に、該特定コードと対応づけられた処理手順に従って、該特定コードによって特定されるサービスの提供を行うことを特徴とする。
【００１９】
また、前記サービス提供手段は、前記サービスの提供先に関する情報を該情報を識別可能な識別情報と対応づけて管理しておき、前記端末にて前記識別情報が指定された場合に該識別情報によって識別される提供先に対して、前記サービスの提供を行うことを特徴とする。
【００２０】
また、印刷物に掲載された特定コードによって指定されたサービスの提供を管理するサービス提供サーバであって、
前記特定コードと該特定コードにより特定されるサービスの内容とを対応づけて管理しておき、前記特定コードが指定された場合に、該特定コードによって特定されるサービスを認識し、該サービスの提供を行うことを特徴とする。
【００２１】
また、前記端末にて前記特定コードが指定された場合に、該特定コードによって特定されるサービスを認識し、該サービスの提供元にて当該サービスの提供を行わせることを特徴とする。
【００２２】
また、前記サービスの提供を行うための処理手順を前記特定コードと対応付けて管理しておき、前記特定コードが指定された場合に、該特定コードと対応づけられた処理手順に従って、該特定コードによって特定されるサービスの提供を行うことを特徴とする。
【００２３】
また、前記サービスの提供先に関する情報を該情報を識別可能な識別情報と対応づけて管理しておき、前記識別情報が指定された場合に該識別情報によって識別される提供先に対して、前記サービスの提供を行うことを特徴とする。
【００２４】
（作用）
上記のように構成された本発明においては、印刷物に掲載されたサービスの提供を受ける場合、印刷物にサービスに対応して掲載された特定コードを、ネットワークに接続可能な端末にて指定すると、この特定コードがネットワークを介してサービス提供手段に通知される。サービス提供手段においては、特定コードとこの特定コードにより特定されるサービスの内容とが対応づけて管理されており、端末にて指定された特定コードによって特定されるサービスが認識され、このサービスの提供元にてサービスの提供を行わせることになる。
【００２５】
このように、サービス提供手段において、印刷物に掲載された特定コードに対応づけられたサービスの提供が管理されているので、提供されるサービスの提供元が複数存在する場合においても、サービス提供手段にアクセスし、印刷物に掲載された特定コードを指定するだけで、その特定コードによって特定されるサービスを受けることができるようになる。
【００２６】
【発明の実施の形態】
以下に、本発明の実施の形態について図面を参照して説明する。
【００２７】
図１は、本発明のサービス提供システムの実施の一形態を示す図である。
【００２８】
本形態は図１に示すように、ネットワーク６０に接続可能なパーソナルコンピュータや携帯電話機等の端末２０と、ネットワーク６０を介して商品を販売したり情報を提供したりする企業が管理する企業サーバ４０−１〜４０−ｎと、商品注文あるいは情報取得を行うための情報画面をネットワーク６０を介して端末２０に提供するとともに、端末２０にて指定された情報に従って、サービス情報データベース５１及び会員情報データベース５２を参照して所定の処理を行うサービス提供サーバ３０と、サービス提供サーバ３０から提供される情報画面を用いて、所望の商品、サービスあるいは情報を指定するための情報が掲載された印刷物１０とから構成されている。なお、印刷物１０及び端末２０は、それぞれ１つずつしか図示していないが、複数存在するものとする。また、サービス提供サーバ３０は、商品注文や情報取得を行うための情報画面をネットワーク６０を介して端末２０に提供するサイト管理部３１と、サイト管理部３１から提供された情報画面に入力された情報に基づいてサービス情報データベース５１及び会員情報データベース５２を検索するデータベース管理部３２と、データベース管理部３２にて検索された情報に基づいて処理手順を判断する処理手順判断部３３と、処理手順判断部３３において企業サーバ４０−１〜４０−ｎにて管理される情報画面にアクセスする処理手順と判断された場合にそのアクセス先を特定するアクセス先特定部３４とから構成されている。
【００２９】
以下に、上記のように構成されたサービス提供システムにおけるサービス提供方法についてフローチャートを参照して説明する。
【００３０】
図２は、図１に示したサービス提供システムにおけるサービス提供方法を説明するためのフローチャートである。
【００３１】
まず、利用者が端末２０を用いて、サービス提供サーバ３０にて管理され、ネットワーク６０を介して商品を購入したり情報を取得したりするためのサービス提供サイトにアクセスすると（ステップＳ１）、サービス提供サーバ３０のサイト管理部３１から、サービス提供サイト画面が送信され（ステップＳ２）、端末２０にて受信されて表示される（ステップＳ３）。
【００３２】
図３は、図１に示したサイト管理部３１から送信され、端末２０にて表示されるサービス提供サイト画面の一例を示す図である。
【００３３】
図１に示したサイト管理部３１から送信され、端末２０にて表示されるサービス提供サイト画面は図３に示すように、所望の商品やサービス等に付与された商品コードを入力するための商品コード入力領域１が設けられており、利用者はこの商品コード入力領域１に所望の商品等に付与された商品コードを入力することになる。なお、商品コード入力領域１に入力される商品コードは、印刷物１０にてその商品とともに掲載されている。
【００３４】
図４は、図１に示した印刷物１０の一例を示す図である。
【００３５】
図４に示すように、図１に示した印刷物１０には、ネットワーク６０を介して販売されたり情報が提供されたりする商品やサービス等を示す商品情報２ａ〜２ｃと、これら商品情報２ａ〜２ｃにそれぞれ付与された商品コード３ａ〜３ｃとが掲載されている。また、この商品コード３ａ〜３ｃは図４に示すように、＠マーク前の情報と＠マーク後の情報との組み合わせで構成されており、＠マーク前の情報は、対応する商品やサービスを識別可能な情報であり、また、＠マーク後の情報は、その商品やサービスを取り扱う企業等のドメイン名となっている。それにより、＠マーク後の情報によって、その商品やサービスがどの企業にて取り扱われるものであるかを認識することができる。このような印刷物１０としては、電車の吊り広告や、郵便受けに投函されるチラシ、あるいはダイレクトメール等が考えられ、どのような形態のものであっても、商品コードが掲載されているものであればよい。
【００３６】
なお、本形態においては、商品コード３ａ〜３ｃが図４に示すように、＠マーク前の情報と＠マーク後の情報との組み合わせで構成されており、図３に示したような、＠マークによって分離される２つの領域からなる商品コード入力領域１に商品コード３ａ〜３ｃを入力することになるが、商品コードを＠マークによって分離されないものとし、この商品コードを、１つの領域からなる商品コード入力領域１に入力することも考えられる。
【００３７】
利用者が、端末２０に表示されたの商品コード入力領域１に所望の商品やサービス等に付与された商品コードを入力し、送信すると（ステップＳ４）、端末２０から送信された商品コードは、サービス提供サーバ３０にて受信される（ステップＳ５）。
【００３８】
すると、サービス提供サーバ３０のデータベース管理部３２において、受信された商品コードに基づいてサービス情報データベース５１が検索される（ステップＳ６）。
【００３９】
サービス情報データベース５１には、商品コードに対応して、その商品コードが指定された場合の処理手順と、商品コードによって識別される商品情報あるいは商品コードによって特定されるアクセス情報とが登録されており、まず、処理手順判断部３３において、受信された商品コードに対応する処理手順が判断される（ステップＳ７）。
【００４０】
処理手順においては、指定された商品コードによってその商品を販売するのか、あるいはその商品に関する情報を提供するのかが指定されており、受信された商品コードに対応する処理手順が、商品に関する情報を提供するものである場合は、アクセス先特定部３４において、サービス情報データベース５１に登録されたアクセス情報によってアクセス先が特定される（ステップＳ８）。本形態においては、企業サーバ４０−１にて管理されるサイトがアクセス先であるとする。
【００４１】
すると、企業サーバ４０−１から、商品コードで指定された情報提供画面が送信され（ステップＳ９）、端末２０にて受信されて表示される（ステップＳ１０）。例えば、商品コードで指定された商品の詳細情報が掲載された情報提供画面が企業サーバ４０−１から送信され、端末２０にて受信、表示される。
【００４２】
また、ステップＳ５にて受信された商品コードに対する処理手順が、商品を販売するものである場合は、サービス情報データベース５１に登録された商品情報が抽出され、この商品情報が掲載された商品情報掲載画面がサービス提供サーバ３０のサイト管理部３１から送信される（ステップＳ１１）。
【００４３】
サービス提供サーバ３０のサイト管理部３１から送信された商品情報掲載画面は、ネットワーク６０を介して端末２０にて受信され、表示される（ステップＳ１２）。
【００４４】
図５は、図１に示したサイト管理部３１から送信され、端末２０にて表示される商品情報掲載画面の一例を示す図である。
【００４５】
図５に示すように、図１に示したサイト管理部３１から送信され、端末２０にて表示される商品情報掲載画面においては、商品に関する商品情報４が掲載されているとともに、注文する商品の数を入力するための数量入力領域５と、予め会員登録された利用者に付与されたＩＤを入力するためのＩＤ入力領域６と、予め会員登録された利用者に付与されたパスワードを入力するためのＰ／Ｗ入力領域７とが設けられている。
【００４６】
利用者が、端末２０に表示された商品情報掲載画面に掲載された商品情報４を閲覧し、この商品を購入する場合は（ステップＳ１３）、まず、購入する商品の数量を数量入力領域５に入力し（ステップＳ１４）、さらに、利用者が既に会員登録してある場合は（ステップＳ１５）、ＩＤ入力領域６に予め付与されたＩＤを入力するとともに、Ｐ／Ｗ入力領域７に予め付与されたパスワードを入力し（ステップＳ１６）、商品情報掲載画面に設けられたＯＫボタンを押下することになる（ステップＳ１７）。なお、ＩＤ及びパスワードにおいては、利用者が会員登録した際に、サービス提供サーバ３０から利用者に付与され、通知されている。
【００４７】
一方、利用者がまだ会員登録していない場合は、商品情報掲載画面に設けられた会員登録ボタンを押下すると（ステップＳ１８）、サービス提供サーバ３０から会員登録するための会員登録用フォームが送信され（ステップＳ１９）、端末２０にて受信されて表示される（ステップＳ２０）。
【００４８】
図６は、図１に示したサービス提供サーバ３０から送信され、端末２０にて表示される会員登録用フォームの一例を示す図である。
【００４９】
図６に示すように、図１に示したサービス提供サーバ３０から送信され、端末２０にて表示される会員登録用フォームにおいては、利用者の氏名、住所、電話番号、Ｅ−Ｍａｉｌアドレス等の属性情報を入力するための属性情報入力領域８ａと、商品の配送先を入力するための配送先入力領域８ｂと、商品の代金の支払方法を指定するための支払方法指定領域９ａとが設けられており、支払方法指定領域９ａには、商品の代金の支払方法としてクレジットカードによる決済を指定した場合にそのクレジットカードの番号を入力するためのカード番号入力領域９ｂが設けられている。
【００５０】
利用者が、端末２０に表示された会員登録用フォームに、属性情報、配送先情報及び支払方法を入力し、送信すると（ステップＳ２１）、サービス提供サーバ３０において、端末２０から送信されてきた情報に対応づけたＩＤとパスワードが発行されて利用者に通知され、また、データベース管理部３２において、端末２０から送信されてきた情報がＩＤ及びパスワードと対応づけて会員情報データベース５２に登録される（ステップＳ２２）。今後、利用者は、サービス提供サーバ３０にて発行されたＩＤ及びパスワードを用いて、サービス提供サーバ３０によるサービスを受けることになる。
【００５１】
会員情報データベース５２においては、利用者の属性情報や配送先情報、あるいはサービス提供サーバ３０を介しての過去の商品購入履歴やアクセス履歴等が、利用者のＩＤ及びパスワードに対応づけられて登録される。
【００５２】
ステップＳ１７にて利用者が、商品情報掲載画面に設けられたＯＫボタンを押下すると、ステップＳ１６にて入力されたＩＤ及びパスワードが端末２０からサービス提供サーバ３０に送信され、サービス提供サーバ３０のデータベース管理部３２において、端末２０から送信されてきたＩＤ及びパスワードが会員情報データベース５２に登録されているかどうかが判断され（ステップＳ２３）、端末２０から送信されてきたＩＤ及びパスワードが会員情報データベース５２に登録されている場合は、そのＩＤ及びパスワードに対応づけられた会員情報が抽出され（ステップＳ２４）、この会員情報によって識別される利用者が購買者として商品の注文が受け付けられる（ステップＳ２５）。また、ステップＳ２２にて会員情報がＩＤ及びパスワードと対応づけて会員情報データベース５２に登録された場合も、会員情報データベース５２に登録された会員情報によって識別される利用者が購買者として商品の注文が受け付けられることになる。
【００５３】
また、端末２０から送信されてきたＩＤ及びパスワードが会員情報データベース５２に登録されていない場合は、その旨が端末２０に通知され（ステップＳ２６）、端末２０において、ＩＤ及びパスワードが登録されていない旨が表示される（ステップＳ２７）。
【００５４】
また、ステップＳ１３において、利用者が端末２０に表示された商品情報掲載画面に掲載された商品情報４（図５参照）を閲覧し、この商品を購入しない場合は、商品情報掲載画面に掲載された再指定ボタンを押下すると（ステップＳ２８）、図３に示したサービス提供サイト画面が端末２０に再度表示され、商品コードの再指定が可能となる。
【００５５】
ステップＳ２５にて注文が受け付けられると、購入される商品の商品名や金額、また、その商品を購入する利用者の会員情報、さらに購入日等からなる注文情報が、サービス提供サーバ３０からその商品を取り扱う企業が管理する企業サーバに送信される（ステップＳ２９）。本形態においては、企業サーバ４０−１を管理する企業にて取り扱う商品が注文されたものとする。
【００５６】
すると、サービス提供サーバ３０から送信された注文情報は企業サーバ４０−１にて受信され（ステップＳ３０）、企業サーバ４０−１を管理する企業にて管理されるデータベースに注文情報として登録される（ステップＳ３１）。
【００５７】
また、注文情報に含まれる、商品の支払方法がクレジットカードによる決済であった場合は、そのクレジットカード番号と、商品の商品名及び代金、購入日とがクレジットカード会社に通知される（ステップＳ３２）。
【００５８】
その後、企業サーバ４０−１を管理する企業から商品が利用者に送付されるとともに、利用者が指定した支払方法によって商品の代金が支払われることになる。
【００５９】
なお、本形態においては、情報の提供元となる企業サーバ４０−１から端末２０に対して一部情報が提供されているが、サービス提供サーバ３０において、企業サーバ４０−１〜４０−ｎから提供される情報を何らかの手段によって管理しておき、端末２０における指定に従って、サービス提供サーバ３０から端末２０に情報を提供することも考えられる。
【００６０】
また、本形態においては、印刷物１０に掲載された商品を購入したり、印刷物１０に掲載された商品に関する情報を取得したりする場合を例に挙げて説明したが、本発明を用いて、商品のカタログを取得したり、クーポン券を取得したり、旅行の日程表を取得したりすることも考えられる。
【００６１】
【発明の効果】
以上説明したように本発明においては、ネットワークを介して指定されたサービスを提供するサービス提供システムであって、サービスを特定するための特定コードが掲載された印刷物と、ネットワークに接続可能に構成され、特定コードを指定するための端末と、ネットワークに接続可能に構成され、特定コードと該特定コードにより特定されるサービスの内容とを対応づけて管理しておき、特定コードが指定された場合に、該特定コードによって特定されるサービスを認識し、該サービスの提供元にて当該サービスの提供を行わせるサービス提供手段とを有する構成としたため、提供されるサービスの提供元が複数存在する場合においても、サービス提供手段にアクセスし、印刷物に掲載された特定コードを指定するだけで、その特定コードによって特定されるサービスを受けることができ、それにより、印刷物に掲載された商品やサービスのネットワークを介しての注文、並びに印刷物に掲載された商品等に関する情報のネットワークを介しての取得の手間を軽減することができる。
【００６２】
また、特定コードが、サービスに付与された情報と、該サービスの提供元を識別可能な情報とから構成され、さらに、サービスの提供元を識別可能な情報が、該サービスの提供元のドメイン名であるものにおいては、特定コードによって、そのサービスの提供元を認識することができる。
【００６３】
また、サービス提供手段において、サービスの提供先に関する情報を該情報を識別可能な識別情報と対応づけて管理しておき、識別情報が指定された場合に該識別情報によって識別される提供先に対して、サービスの提供元にて当該サービスの提供を行わせるものにおいては、提供されるサービスの提供元が複数存在する場合においても、サービスの提供先に関する情報をサービスの提供元毎に指定することがなくなり、そのための手間を削減することができる。
【図面の簡単な説明】
【図１】本発明のサービス提供システムの実施の一形態を示す図である。
【図２】図１に示したサービス提供システムにおけるサービス提供方法を説明するためのフローチャートである。
【図３】図１に示したサイト管理部から送信され、端末にて表示されるサービス提供サイト画面の一例を示す図である。
【図４】図１に示した印刷物の一例を示す図である。
【図５】図１に示したサイト管理部から送信され、端末にて表示される商品情報掲載画面の一例を示す図である。
【図６】図１に示したサービス提供サーバから送信され、端末にて表示される会員登録用フォームの一例を示す図である。
【符号の説明】
１    商品コード入力領域
２ａ〜２ｃ，４    商品情報
３ａ〜３ｃ    商品コード
５    数量入力領域
６    ＩＤ入力領域
７    Ｐ／Ｗ入力領域
８ａ    属性情報入力領域
８ｂ    配送先入力領域
９ａ    支払方法指定領域
９ｂ    カード番号入力領域
１０    印刷物
２０    端末
３０    サービス提供サーバ
３１    サイト管理部
３２    データベース管理部
３３    処理手順判断部
３４    アクセス先特定部
４０−１〜４０−ｎ    企業サーバ
５１    サービス情報データベース
５２    会員情報データベース
６０    ネットワーク
【図１】
2004199432.tif 000003
【図２】
2004199432.tif 000004
【図３】
2004199432.tif 000005
【図４】
2004199432.tif 000006
【図５】
2004199432.tif 000007
【図６】
2004199432.tif 000008